【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
環境条件を検出するための複数のセンサと、
前記複数のセンサに連結された構成可能なプロセッサとを含むデータ取得装置であって、前記構成可能なプロセッサは、
前記複数のセンサから一又は複数の信号を受信し、
前記環境条件を表す環境データを生成するために前記一又は複数の信号を処理し、
ウェブサービスのためのデバイスプロファイル（ＤＰＷＳ）インターフェースを実現し、
グラフィック表現を生成するように構成され
前記グラフィック表現は、デバイスのリスティング、機能及び前記複数のセンサのうちのセンサを表示する第１の部分を含み、前記グラフィック表現は第２の部分を含み、前記第２の部分は前記複数のセンサのうちの特定のセンサの表現を表示し、前記特定のセンサと関連した前記環境データの一部を表示し、前記特定のセンサと関連した前記環境データの一部の、前記リスティングからの一又は複数のデバイス、前記リスティングからの一又は複数の機能、又はそれらの組み合わせとの相互作用を確立するように構成され、
前記グラフィック表現を一又は複数の遠隔デバイスにより前記ＤＰＷＳインタフェースを介したアクセスを利用可能にするアクセス可能にするように、構成された、データ取得デバイス。
【請求項２】
前記複数のセンサが、光センサ、加速度計、温度センサ、湿度センサ、及び位置センサのうちの少なくとも１つを含む、請求項１に記載のデータ取得デバイス。
【請求項３】
前記構成可能なプロセッサに連結されたコプロセッサであって、第２の環境データを受信するために一又は複数の外部センサデバイスに選択的に連結されるように構成された前記コプロセッサをさらに含む、請求項１に記載のデータ取得デバイス。
【請求項４】
一又は複数の外部コンピューティングデバイスから前記第２の環境データを受信するために前記コプロセッサに連結された入力／出力モジュールをさらに含む、請求項３に記載のデータ取得デバイス。
【請求項５】
前記グラフィック表現を前記一又は複数の遠隔デバイスのうちの一つの遠隔デバイスに送信する入力／出力モジュールをさらに有し、
前記入力／出力モジュールは
有線ネットワークに前記データ取得デバイスを連結するための第１の通信インターフェース又は、無線ネットワークに前記データ取得デバイスを連結するための第２の通信インタフェースを含む、請求項１に記載のデータ取得デバイス。
【請求項６】
前記構成可能なプロセッサが、
前記環境データを分析し、
前記複数のセンサのうちの一つのセンサと関連した前記環境データの値が閾値を満たしたときに警報信号を生成するようにさらに構成された、請求項１に記載のデータ取得デバイス。
【請求項７】
前記構成可能なプロセッサが、
前記環境データに応じて一又は複数のコマンド信号を生成し、
トランスデューサーに前記一又は複数のコマンド信号を伝送するようにさらに構成された、請求項１に記載のデータ取得デバイス。
【請求項８】
前記構成可能なプロセッサが、
前記グラフィック表現の前記第１の部分に表示された前記リスティングにおける項目が前記グラフィック表現の第２の部分にドラグ＆ドロップされることを可能とすることによって、前記グラフィック表現を修正可能とするように構成された、請求項１に記載のデータ取得デバイス。
【請求項９】
前記構成可能なプロセッサが、さらに、
前記グラフィック表現を介して前記一又は複数の遠隔デバイスのうちの第１の遠隔デバイスから入力を受信するように構成されており、
前記入力は少なくとも前記特定のセンサの動作に関する少なくとも一つの命令を提供し、前記入力に対応して前記少なくとも一つの命令に応じて前記特定のセンサを構成するように構成された、
請求項１に記載のデータ取得デバイス。
【請求項１０】
前記構成可能なプロセッサが、前記第１の遠隔デバイスとピアツーピア通信を実現するようにさらに構成された、請求項９に記載のデータ取得デバイス。
【請求項１１】
環境条件をモニタリングする方法であって、
電子デバイスに取り付けられた複数の環境センサを介して、環境条件を検出することと、
前記複数のセンサに連結された構成可能なプロセッサで、前記複数のセンサからの一又は複数の信号を受信することと、
前記構成可能なプロセッサを介して、前記環境条件を表す環境データを生成するために前記一又は複数の信号を処理することと、
前記構成可能なプロセッサを介して、ウェブサービスのためのデバイスプロファイル（ＤＰＷＳ）インターフェースを実現することと、
前記ＤＰＷＳインターフェースにおいて、グラフィック表現を生成することと、を含み、
グラフィック表現は、デバイスのリスティング、機能及び前記複数のセンサのうちの複数センサを表示する第１の部分を含み、前記グラフィック表現は第２の部分を含み、前記第２の部分は前記複数のセンサのうちの特定のセンサの表現を表示し、前記特定のセンサと関連した前記環境データの一部を表示し、前記特定のセンサと関連した前記環境データの一部の、前記リスティングからの一又は複数のデバイス、前記リスティングからの一又は複数の機能、又はそれらの組み合わせとの相互作用を確立するように構成され、さらに、
前記環境データを一又は複数の遠隔デバイスにより前記ＤＰＷＳインタフェースを介したアクセスを利用可能にすることを有する、
環境条件をモニタリングする方法。
【手続補正２】
【補正対象書類名】明細書
【補正対象項目名】００２４
【補正方法】変更
【補正の内容】
【００２４】
様々な実施形態が記載されているが、当業者であれば、本開示の範囲を逸脱することなく修正や変更が行われうることを認識するであろう。実施例は様々な実施形態を説明するものであって、本開示を限定することを意図していない。したがって、説明文及び請求項は、関連する先行技術を考慮して必要に応じて、このような制限のみによって自由に解釈されるべきである。
また、本願は以下に記載する態様を含む。
（態様１）
環境条件を検出するための複数のセンサと、
前記複数のセンサに連結された構成可能なプロセッサであって、
前記複数のセンサから一又は複数の信号を受信し、
前記環境条件を表す環境データを生成するために前記一又は複数の信号を処理するように構成された前記構成可能なプロセッサと、
遠隔デバイスに前記データを伝送する第１の入力／出力モジュールと
を含むデータ取得デバイス。
（態様２）
前記複数のセンサが、光センサ、加速度計、温度センサ、湿度センサ、及び位置センサのうちの少なくとも１つを含む、態様１に記載のデータ取得デバイス。
（態様３）
前記構成可能なプロセッサに連結されたコプロセッサであって、環境データを受信するために一又は複数の外部センサデバイスに選択的に連結されうる前記コプロセッサをさらに含む、態様１に記載のデータ取得デバイス。
（態様４）
一又は複数の外部コンピューティングデバイスからデータを受信するために前記コプロセッサに連結された第２の入力／出力モジュールをさらに含む、態様３に記載のデータ取得デバイス。
（態様５）
前記第１の入力／出力モジュールが、
有線ネットワークにデバイスを連結するための第１の通信インターフェースと、
無線ネットワークにデバイスを連結するための第２の通信インターフェースと
のうちの少なくとも１つを含む、態様１に記載のデータ取得デバイス。
（態様６）
前記プロセッサが、
環境データを分析し、
一又は複数の環境パラメータが閾値を超過したときに警報信号を生成するようにさらに構成された、態様１に記載のデータ取得デバイス。
（態様７）
前記プロセッサが、
前記環境データに応じて一又は複数のコマンド信号を生成し、
トランスデューサーに前記一又は複数のコマンド信号を伝送するようにさらに構成された、態様１に記載のデータ取得デバイス。
（態様８）
前記複数のセンサが、能力の各リストを含み、前記プロセッサが、
前記センサから前記能力の各リストを収集し、
前記能力の各リストを各センサのグラフィック表現に関連づけ、
入力／出力インターフェースを介して外部デバイスに対して前記各センサの前記グラフィック表現を利用可能にするようにさらに構成された、態様１に記載のデータ取得デバイス。
（態様９）
前記プロセッサが、
入力／出力インターフェースを介して外部デバイスに対して前記各センサの前記グラフィック表現を利用可能に提示し、
外部デバイスから入力を受信し、前記入力が前記各センサの動作に関する少なくとも１つの命令を提供し、
前記入力に応じて、前記命令に従って前記各センサを構成するようにさらに構成された、態様８に記載のデータ取得デバイス。
（態様１０）
前記プロセッサが、少なくとも１つの遠隔データ取得デバイスとピアツーピア通信を実装するようにさらに構成された、態様９に記載のデータ取得デバイス。
（態様１１）  電子デバイスに取り付けられた複数の環境センサ内で、複数の環境センサ内の環境条件を検出することと、
前記複数のセンサに連結された構成可能なプロセッサ内で、前記複数のセンサからの一又は複数の信号を受信することと、
前記構成可能なプロセッサ内で、前記環境条件を表す環境データを生成するために前記一又は複数の信号を処理することと、
遠隔デバイスに前記データを伝送することと
を含む、環境条件をモニタリングする方法。
（態様１２）
前記複数のセンサが、光センサ、加速度計、温度センサ、湿度センサ、及び位置センサのうちの少なくとも１つを含む、態様１１に記載の方法。
（態様１３）
前記複数のセンサが、能力の各リストを含み、
前記センサから前記能力の各リストを収集することと、
前記能力の各リストを各センサのグラフィック表現に関連づけることと、
入力／出力インターフェースを介して外部デバイスに対して前記各センサの前記グラフィック表現を利用可能にすることと
をさらに含む、態様１１に記載の方法。
（態様１４）
入力／出力インターフェースを介して外部デバイスに対して前記各センサの前記グラフィック表現を利用可能に提示することと、
外部デバイスから入力を受信することであって、前記入力が前記各センサの動作に関する少なくとも１つの命令を提供する、受信することと、
前記入力に応じて、前記命令に従って前記各センサを構成することと
をさらに含む、態様１３に記載の方法。
（態様１５）
前記プロセッサが、少なくとも１つの遠隔データ取得デバイスとピアツーピア通信を実装するようにさらに構成された、態様１４に記載の方法。